(57)【要約】【課題】工具とか釘とか金具等を使わずに組立てたり、折り畳めるようにするとともに、耐用を終えた場合は容易に廃棄できる素材を用いたフラワースタンドを開発する。    【解決手段】適宜の高さと幅とを具えた背面フレーム１と、各段毎にそれぞれ左右一対に形成した複数組の縦フレーム２と、縦フレームが形成する段数に応じた数の棚板部材３とを木製とし、各段毎の縦フレームの側枠と、最上段の縦フレームと背面フレームの側枠をそれぞれ丁番５で連結して縦フレームを一連に連結し、背面フレームの表側に屏風状に折り畳めるようにする。また、各段の棚板部材の裏面に嵌め込み桟４を設け、この嵌め込み桟を格段毎の縦フレームの上枠に嵌合させて、スタンドの組立て状態を維持するようにした。【選択図】  図１
2006025721.tif 000002
【特許請求の範囲】
【請求項１】
適宜の高さと幅とを具えた背面フレームと、各段毎にそれぞれ左右一対に形成した複数組の縦フレームと、縦フレームが形成する段数に応じた数の棚板部材をそれぞれ木製とし、互いに接する各段毎の縦フレームの側枠の間と、最上段の縦フレームと背面フレームの側枠の間をそれぞれ丁番で連結して格段の縦フレームを一連に連ね、この縦フレームを上記背面フレームの表側に屏風状に折り畳めるようにするとともに、各段の棚板部材の裏面に左右の縦フレームの間隔に応じた幅の嵌め込み桟を設け、この嵌め込み桟を上記格段毎の縦フレームの上枠に嵌合させて、スタンドの組立て状態を維持するように構成したことを特徴とするフラワースタンド。
【発明の詳細な説明】
【技術分野】
【０００１】
本発明は、主として、格段毎に植木鉢を置けるようにしたフラワースタンドに関し、フラワースタンドを構成する主要部材を木製にするとともに、工具等を使わずに組立てたり、折り畳めるようにしたことを特長とするものである。
【背景技術】
【０００２】
従来、この種のフラワースタンドは、棚板と、棚板を載せる左右の縦フレームをそれぞれプラスチック製とし、左右の縦フレームの間隔を金属製線材で保持するようにしものが一般に販売され、使用されている。
また、各段の棚板枠を丁番とリンクとで互いにヒンジして折り畳めるようにしたフラワースタンドには、例えば、特許文献１があり、縦フレームを折り畳めるようにしたものには、例えば、特許文献２があり、各段の棚板を開閉自在に一連に連結して折り畳めるようにしたものには、例えば、特許文献３がある。
【０００３】
【特許文献１】登録実用新案第３００１７５５号公報（例えば、第１頁参照）
【特許文献２】実開昭６２−１１６９６６号公報（例えば、第１頁参照）
【特許文献３】特開平１１−２７５９６７号公報（例えば、第１頁参照）
【０００４】
前記のように一般に使われているフラワースタンドは、プラスチックを素材にしているので廃棄処理に困難があり、工具等を使用して組立てたり分解したりするので、一般の女性には、工具の使用が難しい場合がある。また、組立て、分解の困難性に関しては、上記各特許文献１、２、３記載のフラワースタンドにおいても同様である。
【発明の開示】
【発明が解決しようとする課題】
【０００５】
以上のことから、本発明が解決しようとする問題点は、工具とか釘とか金具等を使わずに組立てたり、折り畳めるようにするとともに、耐用を終えた場合は容易に廃棄できる素材を用いたフラワースタンドを開発することにある。
【課題を解決するための手段】
【０００６】
そこで本発明は、上記の課題を解決するために、適宜の高さと幅とを具えた背面フレームと、各段毎にそれぞれ左右一対に形成した複数組の縦フレームと、縦フレームが形成する段数に応じた数の棚板部材をそれぞれ木製とし、互いに接する格段毎の縦フレームの側枠の間と、最上段の縦フレームと背面フレームの側枠の間をそれぞれ丁番で連結して各段の縦フレームを一連に連ね、この縦フレームを上記背面フレームの表側に屏風状に折り畳めるようにするとともに、各段の棚板部材の裏面に、左右の縦フレームの間隔に応じた幅の嵌め込み桟を設け、この嵌め込み桟を上記格段毎の縦フレームの上枠に嵌合させて、スタンドの組立て状態を維持するように構成したことを特徴とするフラワースタンドを提供するものである。
【発明の効果】
【０００７】
本発明に係るフラワースタンドは、購入時に折畳まれている各段の縦フレームを背面フレームの両側から手前側に直線状に引き起こして接地させれば、棚枠の骨組みが一挙に完成する。次いで、各段の縦フレームの上枠にそれぞれの嵌め込み桟を嵌めながら棚板部材を載せると、前後左右に揺れのないフラワースタンドが完成する。この組立てには工具、釘、ボルトナットのたぐいは不要である。また、各段の棚板部材を外せば購入時と同様の折畳み状態にコンパクトになる。
さらに、このフラワースタンドの主要構成部材である背面フレーム、各段の縦フレームおよび棚板部材は、それぞれの部材の形成に使用した釘とか部材相互を連結する丁番を除けばすべて木製であるから、フラワースタンドが耐用を終えた場合には容易に廃棄できる。本発明は、以上のようにして前記の課題を解決したものである。
【発明を実施するための最良の形態】
【０００８】
適宜の高さと幅とを具えた背面フレームと、各段毎にそれぞれ左右一対に形成した複数組の縦フレームと、縦フレームが形成する段数に応じた数の棚板部材をそれぞれ木製とする。
互いに接する格段毎の縦フレームの側枠の間と、最上段の縦フレームと背面フレームの側枠との間をそれぞれ丁番で連結する。
丁番で一連に連ねられた各段の縦フレームを背面フレームの表側に屏風状に折り畳めるようにする。
各段の棚板部材の裏面に左右の縦フレームの間隔に応じた幅の嵌め込み桟を設ける。
この嵌め込み桟を各段毎の縦フレームの上枠に嵌合させて、スタンドの組立て状態を維持するようにする。
上記の構成を有するフラワースタンドである。
【実施例】
【０００９】
以下に、本発明の実施例を図面について説明する。  
図１は、実施例の態様を示す一部分解斜視図、図２は、縦フレームの折畳み状態を説明する一部切欠平面図である。
【００１０】
この実施例は、図面に示すように３段型のフラワースタンドである。
図において、１は、上枠１ａ、左右の側枠１ｂ、上下２本の横桟１ｃで形成した背面フレーム、２は、高さ別に、上下の枠２ａ、２ｃと左右の側枠２ｂで方形の枠にそれぞれ形成され、枠内に交差桟２ｄを具えて、左右一対に形成された３段の縦フレーム、３は、図示を省略した他の２枚と同形に形成された棚板部材、４は、棚板部材３の裏面に、左右一対の縦フレーム２の間隔に応じた幅で縦フレーム２の上枠２ａに上から嵌合して密着する断面凹形の嵌め込み桟である。
【００１１】
背面フレーム１と最上段の縦フレーム２の側枠１ｂ、２ｂの間と、互いに隣接する格段毎（この場合３段）の縦フレーム２の側枠２ｂ、２ｂとの間は、図１に略示され、図２に示すように、それぞれ当該の角を縦に丁番５で開閉自在に連結されている。
【００１２】
上記のように丁番５で連結されている各段の縦フレーム２は、図１に示すように、背面フレーム１の前方に直線状に展開すると３段の棚受けを形成する。また、図１、２に示すように、丁番５を介して縦フレーム２を折畳むと、図２中に虚線で示すように背面フレーム１の表側の左右に、それぞれ重ね合わされて折り畳める。
【００１３】
次ぎに左右一対の各段の縦フレーム２を展開し、各縦フレーム２の上枠２ａに裏面の嵌め込み桟４を嵌めて各段の棚板部材３をそれぞれ載置すればこのフラワースタンドは完成する。この組立て操作にはねじ止めなどが不要であるから工具の使用なしでできる。
【００１４】
完成したフラワースタンドは、左右方向には、各段の棚板部材３の嵌め込み桟４と縦フレーム２の上枠２ａとの嵌合により生ずる抵抗と、背面フレーム１の面に沿った抵抗とが作用して、横方向の歪みを抑止する。
なお、背面フレーム１、縦フレーム２及び棚板部材３はすべて木製であるから、フラワースタンドが耐用を終えた場合には、環境を損なわない廃棄ができる。
【産業上の利用可能性】
【００１５】
本発明の実施に際して、棚数を増減することとか、各枠材の継目を接着剤で固定するか、釘などの金物で固定するかは任意である。また、各部の寸法など各部の形態は、本発明の目的に沿って、実施例の態様のみに限定されるものではない。
【図面の簡単な説明】
【００１６】
【図１】実施例の態様を示す一部分解斜視図である。
【図２】縦フレームの折畳み状態を説明する一部切欠平面図である。
【符号の説明】
【００１７】
１  背面フレーム    （１ａ  上枠、１ｂ  側枠、１ｃ  横桟）
２  縦フレーム  （２ａ  上枠、２ｂ  側枠、２ｃ  下枠、  ２ｄ  交差桟）
３  棚板部材
４  嵌め込み桟
５  丁番
【図１】
2006025721.tif 000003
【図２】
2006025721.tif 000004